(57)【要約】【課題】  利用者の存在の有無を認識して、自動的に照明器具の点灯および／または調光制御を行うにあたって、利用者付近の比較的狭小な範囲を、適切に制御する。【解決手段】   従来では、熱線センサのように器具側がアクティブに検知を行ったり、リモコンなどで利用者がアクティブに存在を知らせたりすることがあったが、本発明では、照明器具Ｌに照明制御装置４を設け、この照明制御装置４からの探索信号に応答して、利用者が携帯するＩＤカード２が返信を行うことで受信され、または隣接器具で受信されて転送されてきたＩＤが自機が制御対象となるべきＩＤであるときは、照明手段３を点灯する。したがって、利用者が意識しないうちに、利用者側からアクティブとする信号を用いて点灯するので、利用者の動きがなくても、また利用者が意識することなく、適切に制御を行うことができ、また隣接器具と連携してルート調光を行うことができる。【選択図】      図１
2005259431.tif 000002
【特許請求の範囲】
【請求項１】
相互に通信可能な複数の照明器具に、利用者の携帯する識別装置を備えて成る照明制御システムであって、各照明器具には、
該照明器具に搭載され、または該照明器具の近傍に設けられ、前記識別装置と予め定める周期で定期的に無線通信を行う利用者通信手段と、
自機が被制御対象となるべき識別装置の識別情報を記憶している記憶手段と、
前記利用者通信手段で識別装置と通信が行なわれて受信した識別情報を他の照明器具との間でやりとりする器具間通信手段と、
前記利用者通信手段で受信した識別情報と前記器具間通信手段を通じて他の照明器具から伝送されてきた識別情報との少なくとも一方が前記記憶手段に記憶されている場合には、照明手段を点灯および／または調光制御する照明制御手段とを含むことを特徴とする照明制御システム。
【請求項２】
前記識別装置は、
該識別装置に固有の識別情報を記憶しているＩＤ記憶手段と、
前記利用者通信手段からの探索信号を受信する第１の受信手段と、
前記第１の受信手段で前記探索信号を受信すると、前記ＩＤ記憶手段に記憶している識別情報を含めた探索返信信号を送信する第１の送信手段とを備えて構成されるＩＤカードから成り、
前記利用者通信手段は、
前記予め定める周期で定期的に探索信号を送信する第２の送信手段と、
前記探索信号に応答した識別装置からの前記探索返信信号を受信する第２の受信手段とを備えて構成されることを特徴とする請求項１記載の照明制御システム。
【請求項３】
前記各照明器具は、前記利用者通信手段で受信された識別情報を前記記憶手段に記憶させる登録手段をさらに備えることを特徴とする請求項１または２記載の照明制御システム。
【請求項４】
前記記憶手段は、前記自機が被制御対象となるべき識別装置の識別情報と共に、自機に隣接する照明器具の内、同一の識別装置で制御されるべき照明器具の識別情報も記憶しており、
前記利用者通信手段で識別装置からの識別情報を受信すると、前記照明制御手段は、前記照明手段を点灯および／または調光制御するとともに、前記器具間通信手段を通じて、その識別装置で制御されるべき隣接する照明器具へ、受信された識別情報ならびに点灯および／または調光制御するための制御信号を与えることを特徴とする請求項１〜３のいずれか１項に記載の照明制御システム。
【請求項５】
出入り口付近に設置される特定の照明器具には特定の器具ＩＤを付与して前記記憶手段に記憶させておき、前記器具間通信手段によって他の照明器具へ受信された識別装置の識別情報を送信するにあたって前記器具ＩＤも送信するようにし、
残余の照明器具における照明制御手段では、前記特定の照明器具から識別情報が伝送されてくる前に、自機の利用者通信手段で受信された識別情報の識別装置に対しては、照明手段の対応する制御を禁止することを特徴とする請求項１〜４のいずれか１項に記載の照明制御システム。
【発明の詳細な説明】
【技術分野】
【０００１】
本発明は、照明手段の点灯および／または調光制御を行うことができる複数の照明器具から成る照明制御システムに関し、特に前記照明器具が相互に通信可能な通信機能を有するものに関する。
【背景技術】
【０００２】
利用者の存在の有無を認識して、照明器具の前記点灯および／または調光制御を行う手法としては、大略的に、熱線センサなどの人感センサを設けることで、器具側がアクティブに利用者の検知を行ったり、リモコンを用いて、利用者がアクティブに存在を知らせるという２つの手法が従来から用いられている。
【０００３】
たとえば、特許文献１には、或る照明器具の人感センサで人を検知すると、送信部から赤外線を送信し、受信した他の照明器具も連動して照明手段を点灯することで、複数の照明器具で、アドレス設定および配線作業が不要な、前記通信機能を有する照明制御システムが提案されている。
【０００４】
また、特許文献２には、リモコンに照度センサと人感センサとを設けることで、複数の照明器具に人感センサを設けなくて済むようにした照明制御システムが提案されている。
【０００５】
さらにまた、特許文献３には、リモコンと照明器具との両方に送受信機能を持たせ、リモコン側からチャネル確認コードを送信すると、照明器具はその受信機のチャネル設定値を返信し、リモコン側で表示させ、そのチャネル設定値で制御信号を送信することで、設定用スイッチを設けることなく、受信チャネルの設定機能を持たせるようにしたリモコン付照明装置が提案されている。
【特許文献１】特許第３４３３６０８号公報
【特許文献２】特開平８−３１５７６号公報
【特許文献３】特開平７−１２２３６８号公報
【発明の開示】
【発明が解決しようとする課題】
【０００６】
上述の各従来技術では、確かに、利用者の存在の有無を認識して、照明器具の点灯および／または調光制御を行うことができる。しかしながら、前記人感センサを用いて、器具側がアクティブに検知を行う手法では、多少の遅延時間を設定できたとしても、利用者の動きがなくなると、利用者の存在を確認できず、消灯してしまう。このため、利用者が通過する廊下などでの用途や、防犯灯などの用途にしか使用できず、デスクワーク等の動きの少ない利用者を検知するためには、使用することができないという問題がある。
【０００７】
一方、前記リモコンを用いて、利用者がアクティブに存在を知らせる手法では、利用者が自発的に制御する必要があるので、消し忘れなどが生じたりして、適切に制御できないという問題がある。また、前記リモコンによって、フロア全体や一部のブロックが纏めて制御されるので、利用者付近だけというような狭小な範囲の制御が困難であるとともに、オフィスの模様替えなどによって制御対象の照明器具の組合わせが変わっても、一旦設置した後は、システムの組換えが困難であるという問題もある。
【０００８】
さらにまた、通信機能を有していても、前記特許文献１のように、一斉に連動して点灯するだけで、多くの照明器具の内、利用者の居住範囲や移動経路などの一部だけを点灯するルート調光などのような細かな制御は実現することができないという問題もある。
【０００９】
本発明の目的は、利用者の動きがなくても、また利用者が意識することなく、利用者付近の比較的狭小な範囲を、適切に点灯および／または調光制御することができる照明制御システムを提供することである。
【課題を解決するための手段】
【００１０】
本発明の照明制御システムは、相互に通信可能な複数の照明器具に、利用者の携帯する識別装置を備えて成る照明制御システムであって、各照明器具には、該照明器具に搭載され、または該照明器具の近傍に設けられ、前記識別装置と予め定める周期で定期的に無線通信を行う利用者通信手段と、自機が被制御対象となるべき識別装置の識別情報を記憶している記憶手段と、前記利用者通信手段で識別装置と通信が行なわれて受信した識別情報を他の照明器具との間でやりとりする器具間通信手段と、前記利用者通信手段で受信した識別情報と前記器具間通信手段を通じて他の照明器具から伝送されてきた識別情報との少なくとも一方が前記記憶手段に記憶されている場合には、照明手段を点灯および／または調光制御する照明制御手段とを含むことを特徴とする。
【００１１】
上記の構成によれば、利用者の存在の有無を認識して、自動的に照明器具の点灯および／または調光制御を行うにあたって、照明器具自体またはその近傍に利用者通信手段を設け、この利用者通信手段からの探索信号に応答するなどして、利用者が携帯する識別装置は、定期的にこの利用者通信手段と無線通信を行っており、照明制御手段は、前記利用者通信手段で受信された識別情報が記憶手段に記憶されている場合には、自機がその識別装置の被制御対象であると判断して、照明手段を点灯および／または調光制御する。
【００１２】
また、器具間通信手段を通じて、前記利用者通信手段で受信された識別情報は、他の照明器具にも通知されるようになっており、この通知された識別情報が自機の記憶手段に記憶されている場合にも、前記照明制御手段は、前記照明手段を点灯および／または調光制御する。前記点灯および／または調光制御とは、点灯／消灯のみの制御だけでもよく、さらに距離などを認識して輝度を制御（調光）することまで行ってもよく、または常時点灯状態で、利用者が存在する場合には輝度をアップする等の調光制御のみを行ってもよいことを示す。
【００１３】
したがって、本発明では、利用者が意識しないうちに、利用者側からアクティブとする信号を用いて点灯および／または調光制御するので、利用者の動きがなくても、また利用者が意識することなく、該利用者の存在の有無を照明器具側で認識でき、利用者付近の比較的狭小な範囲を、適切に点灯および／または調光制御することができる。また、受信した識別情報を他の照明器具に通知することで、システム上の何れかの照明器具で識別情報が得られると、他の照明器具も連携して制御するので、自律分散型のシステムであっても、ルート調光を実現するなど、利用者の居住範囲や移動経路などを自動的に点灯および／または調光制御することができる。
【００１４】
また、本発明の照明制御システムでは、前記識別装置は、該識別装置に固有の識別情報を記憶しているＩＤ記憶手段と、前記利用者通信手段からの探索信号を受信する第１の受信手段と、前記第１の受信手段で前記探索信号を受信すると、前記ＩＤ記憶手段に記憶している識別情報を含めた探索返信信号を送信する第１の送信手段とを備えて構成されるＩＤカードから成り、前記利用者通信手段は、前記予め定める周期で定期的に探索信号を送信する第２の送信手段と、前記探索信号に応答した識別装置からの前記探索返信信号を受信する第２の受信手段とを備えて構成されることを特徴とする。
【００１５】
上記の構成によれば、前述のような利用者の動きがなくても、また利用者が意識することなく、該利用者の存在の有無を照明器具側で認識できるようにするにあたって、前記識別装置を、該識別装置に固有の識別情報を記憶しているＩＤ記憶手段と、前記利用者通信手段からの探索信号を受信する第１の受信手段と、前記第１の受信手段で前記探索信号を受信すると、前記ＩＤ記憶手段に記憶している識別情報を含めた探索返信信号を作成して送信するとともに、好ましくは返信用の電力を作成する第１の送信手段とを備え、いわゆる無線タグの近距離無線通信技術を用いる名札状のＩＤカードとし、これに対応して前記利用者通信手段には、前記予め定める周期で定期的に探索信号を送信する第２の送信手段と、前記探索信号に応答した識別装置からの前記探索返信信号を受信する第２の受信手段とを備える。
【００１６】
したがって、前述のような利用者の動きがなくても、また利用者が意識することなく、利用者の居住範囲や移動経路などを自動的に点灯および／または調光制御することができる構成を、具体的に実現することができる。
【００１７】
さらにまた、本発明の照明制御システムでは、前記各照明器具は、前記利用者通信手段で受信された識別情報を前記記憶手段に記憶させる登録手段をさらに備えることを特徴とする。
【００１８】
上記の構成によれば、前記各照明器具に登録手段を設け、たとえば照明器具に設けた登録スイッチの操作や前記識別装置からの登録モード信号の送信などによって登録モードに切換えられるようにしておき、登録モードとなると、該登録手段は、前記利用者通信手段で受信された識別情報を、前記自機が被制御対象となるべき識別装置の識別情報として前記記憶手段に記憶させる。
【００１９】
したがって、各照明器具を登録モードに切換えた後に、利用者が識別装置を携帯して、制御対象となるべき照明器具の利用者通信手段の検知範囲に滞在したり、前記検知範囲を通過したりするという通常時と同様の動作を行うだけで、前記記憶手段への登録、すなわちティーチングを簡単に行うことができる。
【００２０】
また、本発明の照明制御システムでは、前記記憶手段は、前記自機が被制御対象となるべき識別装置の識別情報と共に、自機に隣接する照明器具の内、同一の識別装置で制御されるべき照明器具の識別情報も記憶しており、前記利用者通信手段で識別装置からの識別情報を受信すると、前記照明制御手段は、前記照明手段を点灯および／または調光制御するとともに、前記器具間通信手段を通じて、その識別装置で制御されるべき隣接する照明器具へ、受信された識別情報ならびに点灯および／または調光制御するための制御信号を与えることを特徴とする。
【００２１】
上記の構成によれば、前記記憶手段に、自機が被制御対象となるべき識別装置の識別情報と共に、自機に隣接する照明器具の内、同一の識別装置で制御されるべき照明器具の識別情報も併せて記憶しておき、すなわち隣接する照明器具が制御されることも覚えている。そして、前記利用者通信手段で識別装置からの識別情報を受信すると、前記照明制御手段は、前記照明手段を点灯および／または調光制御するとともに、前記器具間通信手段を通じて、受信された識別情報を上述のように伝送するにあたって、他の照明器具総てに送信するのではなく、照明器具の内で、さらにその識別装置で制御されるべき照明器具だけに送信する。また、その識別情報とともに、点灯および／または調光制御するための制御信号も送信する。
【００２２】
したがって、データの伝送を必要な経路だけに留め、トラヒックを軽減することができるとともに、ルート上にある次の照明器具に対して点灯および／または調光指示を行うことで、該次の照明器具側で制御を行うべきか否かの判定を行うことなく、直ちに点灯させることができる。
【００２３】
さらにまた、本発明の照明制御システムは、出入り口付近に設置される特定の照明器具には特定の器具ＩＤを付与して前記記憶手段に記憶させておき、前記器具間通信手段によって他の照明器具へ受信された識別装置の識別情報を送信するにあたって前記器具ＩＤも送信するようにし、残余の照明器具における照明制御手段では、前記特定の照明器具から識別情報が伝送されてくる前に、自機の利用者通信手段で受信された識別情報の識別装置に対しては、照明手段の対応する制御を禁止することを特徴とする。
【００２４】
上記の構成によれば、出入り口付近に設置される特定の照明器具には特定の器具ＩＤを付与しておくことで、該特定の照明器具が識別情報の送信元となったときは、他の照明器具はそれを認識することができる。そして、該特定の照明器具で識別情報が検知されないままで、残余の照明器具で識別情報が検知されるということは、登録された識別装置を携帯していても、定められた出入り口以外から侵入した正常でない利用であるので、前記点灯および／または調光制御を行わないことで、そのような正常でない利用を検知することができる。
【発明の効果】
【００２５】
本発明の照明制御システムは、以上のように、利用者の存在の有無を認識して、自動的に照明器具の点灯および／または調光制御を行うにあたって、照明器具自体またはその近傍に利用者通信手段を設け、この利用者通信手段からの探索信号に応答するなどして、利用者が携帯する識別装置は、定期的にこの利用者通信手段と無線通信を行っており、照明制御手段は、前記利用者通信手段で受信された識別情報が記憶手段に記憶されている場合には、自機がその識別装置の被制御対象であると判断して、照明手段を点灯および／または調光制御し、また器具間通信手段を通じて、前記利用者通信手段で受信された識別情報が他の照明器具にも通知されるようになっており、この通知された識別情報が自機の記憶手段に記憶されている場合にも、前記照明制御手段は、前記照明手段を点灯および／または調光制御する。
【００２６】
それゆえ、利用者が意識しないうちに、利用者側からアクティブとする信号を用いて点灯および／または調光制御するので、利用者の動きがなくても、また利用者が意識することなく、該利用者の存在の有無を照明器具側で認識でき、利用者付近の比較的狭小な範囲を、適切に点灯および／または調光制御することができる。また、受信した識別情報を他の照明器具に通知することで、システム上の何れかの照明器具で識別情報が得られると、他の照明器具も連携して制御するので、自律分散型のシステムであっても、ルート調光を実現するなど、利用者の居住範囲や移動経路などを自動的に点灯および／または調光制御することができる。
【発明を実施するための最良の形態】
【００２７】
［実施の形態１］
図１は、本発明の実施の一形態に係る照明制御システムの電気的構成を示すブロック図である。この照明制御システムは、大略的に、多数の照明器具Ｌ１，Ｌ２，‥（総称するときは、以下参照符Ｌで示す）が、通信路１によって相互に接続されて通信を行うとともに、その照明器具Ｌが、識別装置であるＩＤカード２と通信を行うことで、点灯および／または調光制御を行うように構成されている。各照明器具Ｌには、図示しない電源線によって電力供給が行われる。各照明器具Ｌは、放電灯やランプなどの照明手段３に、その点灯および／または調光制御を行う照明制御装置４を備えて構成される。
【００２８】
前記ＩＤカード２は、利用者によって携帯され、たとえば図２で示すような外観形状を有する名札状のＩＤカードから成り、図３で示すように構成されている。すなわち、FlashROMなどの不揮発性メモリおよびその周辺回路などから成る記憶部１１と、マイクロコンピュータおよびその周辺回路などから成る処理部１２と、押釦スイッチなどから成り、利用者によって操作される操作部１３と、たとえば１３．５６ＭＨｚや１３．７５ＭＨｚの無線タグの無線通信技術などを用いて構成される送信部１４および電波受信部１５とを備えて構成される。
【００２９】
一方、前記各照明器具Ｌは、たとえば図４で示すような外観形状を有し、前記照明制御装置４は、図５で示すように構成されている。すなわち、FlashROMなどの不揮発性メモリおよびその周辺回路などから成る記憶部２１と、マイクロコンピュータおよびその周辺回路などから成り、前記記憶部２１に保存されたプログラムを読出して実行する処理部２２と、前記照明手段３の点灯／消灯を制御することができるとともに、輝度を変化させることができる照明制御部２３と、前記無線タグの無線通信技術などを用いて構成される送信部２４および電波受信部２５と、発光ダイオードなどから成る動作状態表示部２６と、電力線通信やBluetooth（登録商標）等の近距離無線通信技術などを用いて構成され、前記通信路１を介して他の照明器具と通信を行う通信部２７と、熱線センサなどから成る人感センサ２８と、前記電波受信部２５の受信感度を調整するゲイン調整部２９とを備えて構成される。
【００３０】
前記ＩＤカード２の処理部１２は、第１の受信手段である電波受信部１５で前記照明制御装置４からの探索信号を受信すると、ＩＤ記憶手段である記憶部１１に記憶している自己のＩＤを読出し、該ＩＤを含めた前記探索返信信号を、第１の送信手段である送信部１４から前記照明制御装置４へ返信する。これによって、前記照明手段３の点灯および／または調光制御可能となっている。また、前記記憶部１１には、該ＩＤカード２のＩＤとともに、登録モードとなるべき制御コードを記憶しており、処理部１２は、前記操作部１３が操作されると、前記ＩＤに前記制御コードを合わせた探索返信信号を送信し、照明器具Ｌを登録モードに切換える。
【００３１】
このＩＤカード２は、前記無線タグの技術を用い、電源を搭載しておらず、前記照明制御装置４からの探索信号を受信することで前記電波受信部１５で起電力を得て、各部へ供給するが、電源を搭載するようにしてもよい。また、利用者の識別は、ＩＤカードに限らず、照明器具Ｌ側での受信電界強度が弱く、利用者が近くにいることを認識できるものであればよい。たとえば、工場内で使用されるＰＨＳ（パーソナルハンディフォンシステム）端末やＰＤＡ（パーソナルデータアシスタント）端末などのように、公衆回線とは異なり、多くの利用者で共通の識別情報を使用するようなものが望ましく、利用者の増加のたびに、照明器具Ｌ側で、記憶部２１に記憶しているＩＤを書込む必要がなく、煩雑な識別処理の必要のないもので、利用者によって携帯されるものが望ましい。
【００３２】
前記操作部１３は、利用者の押下によって接触する電極部と、そのカバーから構成されており、利用者がカバー部分を押下することで電極が接触し、通電するようになる。処理部１２がこれを定期的に読取り、電圧変化によって入力があったことを検知し、前記登録モードへモード移行する。上述のように、このＩＤカード２は電源を備えておらず、したがって操作部１３が押下されている状態で電波受信部１５に探索信号の受信があった場合、および探索信号の受信がある状態で操作部１３が押下されると、送信部１４を通じて、前記制御コードを含む探索返信信号を送信する。しかしながら、キャパシタなどの２次電池となる手段を備えておき、前記探索信号が受信されない状態で、操作部１３が押下されたことを記憶しておき、その後一定時間以内に電波受信部１５に探索信号の受信があった場合に、前記制御コードを含む探索返信信号を返信する構成としてもよい。
【００３３】
前記照明器具Ｌにおいて、送信部２４や電波受信部２５は、該照明器具Ｌに一体で設けられていなくてもよく、近傍に別途設けられていてもよい。また、照明手段３と照明制御装置４とが分離されていてもよい。ＩＤカード２との通信品質を確保したり、意匠的な点から、このように照明器具Ｌに総ての構成が一体で搭載されている必要はなく、ＩＤカード２からの探索返信信号を受信する電波受信部２５が、対を成す照明器具Ｌの近傍に設けられていればよい。
【００３４】
以下に、本実施の形態における動作の概要を説明する。
【００３５】
通常モードでは、照明制御手段である処理部２２は、人感センサ２８からの出力に応答して、人の存在が検知されたときには、前記照明制御部２３を介して照明手段３を点灯および／または調光制御する。また、処理部２２は、大略的に、後述するように記憶部２１に記憶されているプログラムやテーブルなどに従って、予め定める周期で、前記ＩＤカード２へ向けて、第２の送信手段である送信部２４から、後述する探索信号を送信している。それに応答してＩＤカード２からの探索返信信号が第２の受信手段である電波受信部２５において予め定める閾値以上の強度で受信されると、処理部２２は、その探索返信信号中の識別情報（以下、ＩＤと言う）を用いて、記憶手段である記憶部２１に記憶されている前記照明手段３の点灯および／または調光制御を許容すべきＩＤカードＩＤを記憶したルート登録テーブルを検索する。検索した結果、受信したＩＤカードＩＤが存在すれば、前記照明制御部２３を介して照明手段３を点灯および／または調光制御し、自機の調光状態を調光中とする。
【００３６】
さらにまた、前記ルート登録テーブルには、自機が被制御対象となるＩＤカードＩＤ毎に、そのＩＤとともに、そのＩＤで制御される隣接照明器具のＩＤおよび自機の照明制御状態も併せて記憶されており、処理部２２は、受信したＩＤカードＩＤが前記ルート登録テーブルに存在すれば、自機が調光中となるとともに、その欄のＩＤカードＩＤが該当する隣接照明器具に対して、器具間通信手段である通信部２７を通して調光指示信号を送信する。通常モードにおいて、他の照明器具からの調光指示信号を受信すると、処理部２２は、信号中のＩＤカードＩＤを自機のルート登録テーブルから検索し、当該ＩＤが存在すれば、自機も連動して、照明手段３の点灯および／または調光制御を行う。また、ルート登録テーブルの該当ＩＤに対する調光状態が、調光中でない場合には、調光中とし、送信元とは反対側の隣接照明器具に対して、同様の調光指示信号を送信する。
【００３７】
こうして、全体の照明器具Ｌを統括制御する手段を設けなくても、また各照明器具Ｌが全体のネットワーク構成を保持していなくても、分散配置されている各照明器具Ｌは、人感センサ２８および／または電波受信部２５で利用者を検知すると、隣接の照明器具からの情報だけで、その利用者の移動経路にあたる照明手段３を順に点灯および／または調光制御するルート調光を行うとともに、移動が停止したら、その停止した付近の狭小な範囲を点灯および／または調光制御することで、前記利用者付近の照度を確保しつつ、省エネルギ化を進めることができる自律分散型の照明制御システムが構築されている。
【００３８】
たとえば図６で示すように、並列に配された３つの区画４１，４２，４３を、出入り口４４からの通路４５で結んでレイアウトされたオフィス４６に、図６で示すように１１基の照明器具Ｌ１〜Ｌ１１が配置されているとする。先ず出入り口４４には照明器具Ｌ１が臨み、続いて照明器具Ｌ２が配置され、そこから区画４１の奥側に向けて照明器具Ｌ３，Ｌ４が配置されている。また、前記照明器具Ｌ２から通路４５の奥側に向けて照明器具Ｌ５，Ｌ６が配置され、そこから区画４２の奥側に向けて照明器具Ｌ７，Ｌ８が配置されている。さらにまた、前記照明器具Ｌ６から通路４５の奥側に向けて照明器具Ｌ９が配置され、そこから区画４３の奥側に向けて照明器具Ｌ１０，Ｌ１１が配置されている。
【００３９】
このようなレイアウトにおいて、たとえば照明器具Ｌ２の記憶部２１に記憶されている前記ルート登録テーブルは、表１のようになる。ルート登録テーブルは、利用者がどういう経路でその照明器具を通過するのかを記憶するもので、したがってこの照明器具Ｌ２のように経路の途中となる位置に存在する照明器具Ｌ２，Ｌ３，Ｌ５，Ｌ６，Ｌ７，Ｌ９，Ｌ１０では、隣接照明器具は２基存在することになり、それら２基の照明器具のＩＤが、隣接器具ＩＤのＩＤ１，ＩＤ２として記憶される。この隣接器具ＩＤのＩＤ１，ＩＤ２は、移動する各利用者が、直前にどの照明器具の下に居た（通過した）のか、またはこれからどの照明器具の下に居る（通過する）ことになるのかを表すものであり、残余の経路の始終端となる照明器具Ｌ１，Ｌ４，Ｌ８，Ｌ１１については、隣接照明器具は１基しか存在せず、記憶される隣接器具ＩＤもＩＤ１の１つである。
【００４０】
【表１】
2005259431.tif 000003
【００４１】
表１の例では、ＩＤカードＩＤが、Ｃ１の利用者はＬ１−Ｌ２−Ｌ５の経路で移動することを示しており、したがって区画４２または４３の利用者であることを表している。また、Ｃ２の利用者もＬ１−Ｌ２−Ｌ５の経路で移動することを示しており、同様に区画４２または４３の利用者であることを表している。さらにまた、Ｃ３の利用者はＬ１−Ｌ２−Ｌ３の経路で移動することを示しており、したがって区画４１の利用者であることを表している。
【００４２】
したがって、この照明器具Ｌ２が、隣接照明器具Ｌ１またはＬ３から、たとえばＣ３のＩＤカードＩＤを受信すると、その調光指示信号によって調光中に制御され、その調光指示信号の送信元とは反対側の隣接照明器具Ｌ３またはＬ１に、前記ＩＤカードＩＤのＣ３を含む調光指示信号を点灯する。こうして、区画４１の利用者Ｃ３に対しては、入室時にはＬ１−Ｌ２−Ｌ３−Ｌ４の順でルート調光が行われ、退出時にはＬ４−Ｌ３−Ｌ２−Ｌ１の順でルート調光が行われることになる。
【００４３】
一方、ＩＤカード２の前記操作部１３が操作されて、登録モードとなると、各照明器具Ｌは、電波受信部２５において、前記閾値以上で検知したＩＤカードＩＤを受取り、そのＩＤを用いて、表２で示すような記憶部２１のルート登録用一時テーブルを検索する。このルート登録用一時テーブルは、前記ルート登録テーブルにデータを登録するまでに一時的に保持しておくためのものであり、前記表２で示す前記ＩＤカードＩＤ毎の隣接器具ＩＤのセットを記憶している。表２は、前記照明器具Ｌ２のルート登録用一時テーブルの記憶例を示すものである。
【００４４】
【表２】
2005259431.tif 000004
【００４５】
検索した結果、そのＩＤカードＩＤがルート登録用一時テーブルに存在しなければ、そのＩＤカードＩＤを登録時刻と共に前記ルート登録テーブルに追加する。ここで、受信したＩＤカードＩＤが前記ルート登録用一時テーブルにない場合は、通信部２７を通じて、他の照明器具から登録モード移行通知信号を受信していないことになる。この場合、自機は前記始終端の照明器具であり、他の照明器具へ向けて前記登録モード移行通知信号をブロードキャスト送信するとともに、隣接器具ＩＤが１つのルート登録用一時テーブルを作成し、次に同じＩＤカードＩＤが隣接照明器具で受信され、調光制御信号で通知されると、対応するＩＤカードＩＤの欄に、その隣接照明器具ＩＤが追加され、一定時間経過後に前記ルート登録テーブルに正式に追加される。
【００４６】
一方、前記登録モードにおいて、処理部２２は、通信部２７を通じて隣接照明器具からのＩＤカードＩＤを受取った場合、記憶部２１に対して前記ルート登録用一時テーブルの追加を行う。追加する内容は、通知されたＩＤカードＩＤと、通信の送り元の隣接照明器具ＩＤと、登録時刻とである。そして、処理部２２は、定期的にこのルート登録用一時テーブルの登録時刻を確認し、一定時間経過するまで自機で該当するＩＤカードＩＤが受信されなければ、自機はそのＩＤカードでの制御対象でないと判断し、追加したそのＩＤカードＩＤに関する内容を削除する。これに対して、前記一定時間内で電波受信部２５から検知したＩＤカードＩＤを受取り、そのＩＤカードＩＤを用いてこのルート登録用一時テーブルを検索し、検索した結果、該当するＩＤカードＩＤが存在すれば、該ルート登録用一時テーブルに追加したそのＩＤカードＩＤに関する内容を、前記ルート登録テーブルに正式に追加する。
【００４７】
このようにして、隣接照明器具間の通信によって、該隣接照明器具の存在が識別され、前記ルート登録テーブルが作成される。また、前記隣接照明器具間の通信によって、自機がルート上の始終端に位置する照明器具か否かを識別し、前記記憶部２１には、その照明器具自身の現在のモードが、通常モードであるか、登録モードであるかを表す値と、自機がルート上の始終端であるか、途中であるかを表す属性値とが記憶（セット）される。
【００４８】
また、通常モードから登録モードへの移行に伴い、登録モードでの重複登録を回避するために、処理部２２はゲイン調整部２９を制御して、電波受信部２５の受信感度を低下させる。これに対して、登録モードから通常モードへ復帰する際には、通常モードでの利便性確保のために、前記電波受信部２５の受信感度を上昇させる。さらにまた、処理部２２は、前記登録モードでは、後述するように動作状態表示部２６を点灯して状態表示を行う。
【００４９】
以下に、上述の動作を詳しく説明する。
【００５０】
先ず登録モードへの移行について説明する。ルート設定を希望する利用者、たとえばＵ１が、自身が保持するＩＤカード２を持って、前記出入り口４４から本システムの検知範囲に入る。そして、利用者Ｕ１がＩＤカード２の操作部１３を押下すると、各照明器具Ｌが送信部２４から定期的に発信している探査信号を電波受信部１５で受信したＩＤカード２では送信電力が誘起され、処理部１２は、記憶部１１に記憶されている自身のＩＤカードＩＤＣ１に前記制御コードを含む探査返信信号を送信部１４から発信する。この探査返信信号に対し、図６の例において、照明器具Ｌ１が最高の受信電界強度を持ち、照明器具Ｌ２が中程度の電界強度で受信したものとする。それ以外の照明器具Ｌ３〜Ｌ１１は、電界強度が閾値を超えるに至らなかったものとする。すると、照明器具Ｌ１，Ｌ２は一定時間待機して登録モード移行通知信号をブロードキャスト送信する。前記待機時間は、たとえば各照明器具Ｌのアドレスによって決まる固有の値とし、したがって前記のように複数の照明器具Ｌ１，Ｌ２が登録モード移行通知信号を送信しようとしても、それらは同時に前記通信路１上に出力されるのではなく、前記待機時間の差だけずれて出力されることになり、信号の衝突を回避するようになっている。通常モードにある各照明器具Ｌ３〜Ｌ１１は、前記照明器具Ｌ１，Ｌ２からの登録モード移行通知信号を受信すると、登録モードへの移行が必要と判断し、登録モード移行処理を実施する。
【００５１】
こうして登録モードへ移行すると、各照明器具Ｌ１〜Ｌ１１は、ゲイン調整部２９を通じて受信感度を低下させて登録モードのレベルに設定し、次にＩＤカードＩＤの検知に移る。区画４３を利用する利用者Ｕ１の場合、システムが登録モードに移行した後、矢符４７の経路で移動を開始する。移動の過程で、上述のように先ず照明器具Ｌ１がこの利用者Ｕ１のＩＤＣ１を検知する。照明器具Ｌ１はＩＤＣ１を検知すると、未だ設定開始通知信号を受信していないことから、自機をＩＤＣ１に対する始終端器具と設定し、受信したＩＤＣ１をデータとした設定開始通知信号をブロードキャスト送信する。これによって、照明器具Ｌ１以外の照明器具Ｌ２〜Ｌ１１は、設定開始通知信号を受信すると、ＩＤＣ１に対する登録モードの開始である旨を記憶し、さらに隣接照明器具候補に送信元である照明器具Ｌ１のＩＤを保存する。一方、照明器具Ｌ１は照明制御部２３を通して照明手段３を点灯させる。あるいは動作状態表示部２６を利用者Ｕ１が識別可能なパターンで点消灯させ、正しくＩＤＣ１が受信できたことを利用者Ｕ１に報知するようにしてもよい。
【００５２】
こうして全照明器具Ｌ１〜Ｌ１１が登録モードへ移行すると、利用者Ｕ１の移動に伴うルート設定に移る。利用者Ｕ１が移動し、照明器具Ｌ２の検知範囲に入り、該照明器具Ｌ２がＩＤＣ１を検知すると、既に照明器具Ｌ１から設定開始通知信号を受信していることから、自機は始終端器具でないと判断する。また、照明器具Ｌ１を隣接器具ＩＤ１とし、ルート登録用一時テーブルの該当ＩＤＣ１の欄に記憶する。すると、この照明器具Ｌ２は、他の照明器具Ｌ１，Ｌ３〜Ｌ１１に対して、一時登録完了通知信号をブロードキャスト送信する。
【００５３】
一時登録完了通知信号を受信した照明器具Ｌ１，Ｌ３〜Ｌ１１は、隣接照明器具候補にブロードキャスト通信の送信元である照明器具Ｌ２を上書きする。この照明器具Ｌ２よりも前にＩＤＣ１を検知した照明器具Ｌ１は、照明器具Ｌ２を隣接器具ＩＤ２と判断して、そのＩＤＬ２をルート登録用一時テーブルの該当ＩＤカードＩＤＣ１の欄に追記する。また、前記一時登録完了通知信号をブロードキャスト送信した照明器具Ｌ２は、自機の照明制御部２３を通して照明手段３を点灯させる。あるいは動作状態表示部２６を利用者が識別可能なパターンで点消灯させ、正しくＩＤカードＩＤが受信できたことを利用者に知らせてもよい。
【００５４】
続く利用者Ｕ１の移動に伴うルート設定では、利用者Ｕ１が移動し、照明器具Ｌ５の検知範囲に入り、該照明器具Ｌ５がＩＤＣ１を検知すると、既に照明器具Ｌ１から設定開始通知信号を受信しており、また一時登録完了通知信号を照明器具Ｌ２から受信していることから、自機は終端器具でないと判断し、照明器具Ｌ２を隣接器具ＩＤ１とし、ルート登録用一時テーブルの該当ＩＤＣ１の欄に記憶する。続いて、他の照明器具Ｌ１〜Ｌ４，Ｌ６〜Ｌ１１に対して、一時登録完了通知信号をブロードキャスト送信すると、その一時登録ブロードキャスト通信を受信した照明器具Ｌ２は、隣接照明器具候補にブロードキャスト通信の送信元であるＬ５を上書きする。また、Ｌ５の直前にＩＤＣ１を検知した照明器具Ｌ２は、照明器具Ｌ５を隣接器具ＩＤ２と判断してルート登録用一時テーブルの該当ＩＤＣ１の欄に追記する。一時登録完了通知信号をブロードキャスト送信した照明器具Ｌ５は、自機の照明手段３を点灯させる。あるいは動作状態表示部２６を利用者が識別可能なパターンで点消灯させてもよい。
【００５５】
同様にして、照明器具Ｌ６，Ｌ９，Ｌ１０で途中経路でのルート設定が進み、最終的に照明器具Ｌ１１でＩＤＣ１が検知されると、終端でのルート設定に移る。この照明器具Ｌ１１での一時登録ブロードキャスト通信が終了した時点で、利用者Ｕ１は、再びＩＤカード２の操作部１３を押下すると、照明器具Ｌ１１で前記制御コードを含む探索返信信号が受信され、該照明器具Ｌ１１は現在登録モードであることから、正しくルート登録完了したと判断し、自機を利用者Ｕ１の利用時における終端器具として認識し、ルート登録テーブルのＩＤＣ１における制御状態欄に、終端を表すデータを記憶する。ついで、この照明器具Ｌ１１は通常モード移行信号をブロードキャスト送信する。これによって、これまでの経路上の各照明器具Ｌ１，Ｌ２，Ｌ５，Ｌ６，Ｌ９，Ｌ１０も、自機のルート登録用一時テーブルから登録時刻欄を除いた内容を、ルート登録テーブルに記録する。その後、ゲイン調整部２９を通じて受信感度を通常モードのレベルに再設定し、通常モードに移行する。
【００５６】
一方、通常モードでは、利用者Ｕ１が出入り口４４からオフィス４６内へ入ると、最初に照明器具Ｌ１がＩＤＣ１を検知する。これに応答して該照明器具Ｌ１は自機のルート登録テーブルを確認し、存在するので、このＩＤＣ１を正当なものとみなし、ルート登録テーブルのＩＤＣ１の制御状態欄を「調光無し」から「調光中」に変更し、照明制御部２３を通して自機の照明手段３を１００％点灯するとともに、ルート登録テーブルの隣接器具ＩＤ１，ＩＤ２の欄を確認する。始終端の器具ではいずれか一方しか登録されていないので、登録されている照明器具Ｌ２に対して、受信したＩＤカードＩＤのＣ１をデータとして調光指示信号を送信する。
【００５７】
照明器具Ｌ１からの調光指示信号を受信した照明器具Ｌ２は、自機のルート登録テーブルのＩＤＣ１における隣接器具ＩＤ１の欄にＬ１とあることから、この信号が正式なものであると確認する。すると、照明器具Ｌ２は、ルート登録テーブルのＩＤＣ１の制御状態欄を「調光無し」から「調光中」に変更し、照明制御部２３を通して自機の照明手段３を５０％点灯する。また、隣接器具ＩＤ２に登録されている照明器具Ｌ５にＩＤＣ１をデータとして調光指示信号を送信する。以降、同じ要領で、続くルート上の照明器具Ｌ５，Ｌ６，Ｌ９，Ｌ１０，Ｌ１１が５０％点灯してゆく。終端の照明器具Ｌ１１では、ルート登録テーブルのＩＤＣ１の項目において、隣接器具ＩＤ２が登録されていないため、制御はここで終わる。こうして、利用者Ｕ１を案内するルート調光が実現される。
【００５８】
利用者Ｕ１が移動し、次の照明器具Ｌ２の検知範囲に入り、該照明器具Ｌ２がＩＤＣ２を検知すると、該照明器具Ｌ２はルート登録テーブルのＩＤＣ２における制御状態の項目を確認する。状態が調光中であることから、照明器具Ｌ２はＩＤＣ２が正式な移動で検知範囲内に入ってきたものと判断し、照明制御部２３を通して自機の照明手段３を１００％点灯するとともに、ルート登録テーブルの隣接器具ＩＤ１，ＩＤ２の欄を確認する。ここでは、Ｌ１とＬ５とが登録されていることから、照明器具Ｌ２はそれらに対して、受信したＩＤＣ１をデータとして調光指示信号を送信する。この時点では、照明器具Ｌ５はもとより５０％調光であるが、照明器具Ｌ１は先に１００％調光となっていたのを、この照明器具Ｌ２からの調光指示信号によって５０％調光へと減光する。以後同じようにして、利用者Ｕ１が通過した後のルートは基本的に５０％調光され、利用者の近隣の照明器具は１００％調光されるようになる。
【００５９】
こうして点灯および調光制御された各照明器具Ｌ１，Ｌ２，Ｌ５，Ｌ６，Ｌ９，Ｌ１０，Ｌ１１は、自機の照明制御部２３に対して点灯制御を行った後、一定時間経過後に消灯信号を送る。また、処理部２２が電波受信部２５から一定時間以上ＩＤカードＩＤを受取らなくなった場合に消灯制御を行うようにしてもよい。
【００６０】
図７〜図１３は、上述の動作をさらに詳しく説明するためのフローチャートである。これらの図を用いて、以下に、本実施の形態における動作を詳しく説明する。
【００６１】
先ず、図７は前記処理部２２による照明器具Ｌの全体の制御動作を説明するものである。ステップＳ１では、通信部２７で他の照明器具からの信号を受信したか否かが判断され、受信されたときにはステップＳ２で、後述の図９で説明する通信内容対応処理を通常モードで行った後ステップＳ３に移り、受信されないときにはステップＳ４に移る。ステップＳ４では、送信部２４からの予め定める周期の探索信号の送信タイミングになったか否かが判断され、そうであるときにはステップＳ５で、後述の図８で示すＩＤカード２の探索処理を通常モードで行った後前記ステップＳ３に移り、送信タイミングでないときには直接ステップＳ３に移る。ステップＳ３では、前記ステップＳ２，Ｓ５の処理で登録モードへ移行する必要が生じたか否か、すなわちステップＳ２において登録モード移行通知信号を受信、またはステップＳ５で制御コードを含む探索返信信号を受信したか否かが判断され、移行する必要がないときには前記ステップＳ１に戻って通常モードでの動作を繰返し、移行する必要が生じるとステップＳ１０以降の登録モードでの動作に移る。
【００６２】
ステップＳ１０では、後述の図１２で示す登録モード移行処理が行われる。ステップＳ１１では、前記ステップＳ１と同様に、通信部２７で他の照明器具からの信号を受信したか否かが判断され、受信されたときにはステップＳ１２で、後述の図１１で説明する通信内容対応処理を登録モードで行った後ステップＳ１３に移り、受信されないときにはステップＳ１４に移る。ステップＳ１４では、前記ステップＳ４と同様に、送信部２４からの予め定める周期の探索信号の送信タイミングになったか否かが判断され、そうであるときにはステップＳ１５で、後述の図１０で示すＩＤカード２の探索処理を登録モードで行った後前記ステップＳ１３に移り、送信タイミングでないときには直接ステップＳ１３に移る。
【００６３】
ステップＳ１３では、一時ルート登録要否確認処理が行われる。ステップＳ１６では、前記ステップＳ１２，Ｓ１５の処理で通常モードへ移行（復帰）する必要が生じたか否かが判断され、移行する必要がないときには前記ステップＳ１１に戻り、移行する必要があるときにはステップＳ１７で、後述の図１３で示す通常モード移行処理が行われた後前記ステップＳ１に戻る。
【００６４】
図８は、前記ステップＳ５における通常モードでのＩＤカード２の探索処理を詳しく説明するためのフローチャートである。先ず、ステップＳ２１で探索信号を送信し、ステップＳ２２で探索返信信号が受信されたか否かが判断され、受信されないときにはステップＳ２３で、予め設定されている前記探索信号の送信から前記探索返信信号を待受ける待ち時間が終了したか否かが判断され、待ち時間が経過していないときには前記ステップＳ２２に戻り、探索返信信号の待受けを継続する。
【００６５】
これに対して、前記ステップＳ２２で探索返信信号が受信されると、ステップＳ２４に移り、その探索返信信号中のＩＤが、記憶部２１に記憶されているルート登録テーブル中に含まれているか否かが判断される。含まれていない場合にはステップＳ２５において、その探索返信信号は制御コードを含む登録モードへの移行指示を表す信号であるか否かが判断され、そうでないときにはそのＩＤに関しては、自機は関係ないものと判断して処理を終了する。これに対して、前記ステップＳ２５において、登録モードへの移行指示を表す場合はステップＳ２６に移り、一定時間待機した後、前記登録モード移行指示信号をブロードキャスト送信し、さらにステップＳ２７で登録モードへの移行が必要と判断し、前記ステップＳ３での判定用のフラグをセットするなどして、処理を終了する。
【００６６】
また、前記ステップＳ２４において、探索返信信号中のＩＤがルート登録テーブル中に含まれている場合にはステップＳ２８に移り、そのＩＤの制御状態欄が検索され、ステップＳ２９では、その検索結果が、未登録であれば自機は関係ないものとして処理を終了する。これに対して、前記ステップＳ２９において、自機は調光中（利用者はルート上を移動中）、または自機が終端の器具である（利用者は自分の机に向かうなどして静止状態）である場合には、ステップＳ３０で自機の照明手段３を１００％点灯する。その後、ステップＳ３１でルート登録テーブルの隣接器具ＩＤ１，ＩＤ２の欄を確認し、それらの隣接器具へ受信したＩＤをデータとして調光指示信号を送信した後、処理を終了する。
【００６７】
図９は、前記ステップＳ２における通常モードでの通信内容対応処理を詳しく説明するためのフローチャートである。ステップＳ４１では、受信内容が確認され、調光指示信号である場合にはステップＳ４２に移る。また、登録モード移行通知信号である場合には、ステップＳ４３において登録モードへの移行が必要と判断して、前記ステップＳ３での判定用のフラグを立てるなどして処理を終了し、それ以外の場合には、自機に関係ない通信であると判断してステップＳ４４に移り、信号内容を破棄して処理を終了する。
【００６８】
前記ステップＳ４２では、他の照明器具から受信された調光指示信号中のＩＤカードＩＤが自機のルート登録テーブルに登録されており、かつその調光指示信号の送信元の照明器具のＩＤが、隣接器具ＩＤ１，ＩＤ２のいずれかに登録されているか否かが確認される。その確認の結果、ステップＳ４５で、ＩＤカードＩＤが登録されていない、または登録されていても送信元が隣接器具ＩＤ１，ＩＤ２に登録されていない場合には処理を終了し、ＩＤカードＩＤおよび送信元のＩＤが共に登録されているときにはステップＳ４６に移る。ステップＳ４６では、そのＩＤカードＩＤに対する自機の調光状態が判断され、調光中であるときには処理を終了し、調光中以外ではステップＳ４７以降の処理に移る。
【００６９】
ステップＳ４７では、自機の照明手段３を５０％点灯する。続いてステップＳ４８では、ルート登録テーブルの該当するＩＤカードＩＤの制御状態欄を調光中とする。さらにステップＳ４９では、ルート登録テーブルにおける隣接器具ＩＤ１，ＩＤ２の内、送信元でない方へ、ＩＤカードＩＤをデータとして調光指示信号を送信し、処理を終了する。
【００７０】
図１０は、前記ステップＳ１５における登録モードでのＩＤカード２の探索処理を詳しく説明するためのフローチャートである。先ず、ステップＳ５１〜Ｓ５３では、前記ステップＳ２１〜Ｓ２３と同様に、探索信号を送信し、所定の待受け待ち時間が終了するまで探索返信信号を待受けし、受信されると、ステップＳ５４に移る。ステップＳ５４では、受信された探索返信信号は制御コードを含む通常モードへの移行指示を表す信号であるか否かが判断され、そうであるときにはステップＳ５５に移り、一定時間待機した後、前記通常モード移行指示信号をブロードキャスト送信し、さらにステップＳ５６で通常モードへの移行が必要と判断し、前記ステップＳ１６での判定用のフラグをセットするなどして、処理を終了する。
【００７１】
一方、操作部１３の押下操作が解除されて、前記ステップＳ５４において、受信された探索返信信号が制御コードを含まない信号である場合にはステップＳ５７に移り、登録モードに移行してから前記設定開始通知信号を受信したか否かが判断され、受信していないときにはステップＳ５８に移る。ステップＳ５８では、前記探索返信信号中のＩＤに関しては、自機が始終端器具と判定し、ステップＳ５９で、そのＩＤをデータとした設定開始通知信号をブロードキャスト送信し、ステップＳ６０で照明手段３を点灯させ、処理を終了する。
【００７２】
これに対して、前記ステップＳ５７において、登録モードに移行してから前記設定開始通知信号を受信しているときにはステップＳ６１に移り、隣接照明器具候補に送信元の照明器具のＩＤを保存する。続いてステップＳ６２では、一時登録完了通知信号をブロードキャスト送信し、ステップＳ６３で照明手段３を点灯させ、処理を終了する。
【００７３】
また、図１１は、前記ステップＳ１２における登録モードでの通信内容対応処理を詳しく説明するためのフローチャートである。ステップＳ７１では、受信内容が確認され、一時登録完了通知信号である場合にはステップＳ７２に移り、設定開始通知信号である場合にはステップＳ７３に移る。また、前記ステップＳ７１で通常モード移行指示信号である場合にはステップＳ７４において通常モードへの移行が必要と判断して、前記ステップＳ１６での判定用のフラグを立てるなどして処理を終了し、それ以外の場合には、自機に関係ない通信であると判断してステップＳ７５に移り、信号内容を破棄して処理を終了する。
【００７４】
前記ステップＳ７２では、前回、一時登録完了通知信号または設定開始通知信号を送信したのは自機であるか否かが判断され、自機でない場合はステップＳ７６に移り、ルート登録用一時テーブルにおける隣接器具ＩＤ２に、送信元の照明器具のＩＤを設定して処理を終了し、自機である場合にはステップＳ７７で、隣接照明器具候補に自機のＩＤを設定させて処理を終了する。また、ステップＳ７３では、受信したＩＤカードＩＤに関する登録モードと認識し、ステップＳ７８で、隣接照明器具候補に送信元の照明器具のＩＤを設定して処理を終了する。
【００７５】
図１２は、前記ステップＳ１０における登録モード移行処理を詳しく説明するためのフローチャートである。ステップＳ８１では、ルート登録テーブルおよびルート登録用一時テーブルから、登録モード移行通知信号中のＩＤカードＩＤの欄の内容を削除（初期化）して登録を可能にし、ステップＳ８２で電波受信部２５の感度を低下して処理を終了する。また、前記ステップＳ１７における通常モード移行処理は、図１３で示すように、ステップＳ９１で電波受信部２５の感度を上昇（復帰）させて処理を終了する。
【００７６】
以上のように、本発明の照明制御システムでは、利用者の存在の有無を認識して、自動的に照明手段３の点灯および調光制御を行うにあたって、照明器具Ｌ自体またはその近傍に照明制御装置４を設け、この照明制御装置４の送信部２４からの探索信号に応答して、利用者が携帯するＩＤカード２が探索返信信号を返信し、電波受信部２５で受信されたその探索返信信号中のＩＤカードＩＤが記憶部２１のルート登録テーブルに一致すると、処理部２２は照明制御部２３を通じて照明手段３を点灯および調光制御するので、利用者の動きがなくても、また利用者が意識することなく、該利用者の存在の有無を照明器具Ｌ側で認識でき、利用者付近の比較的狭小な範囲を、適切に点灯および調光制御することができる。
【００７７】
また、通信部２７を通じて、前記探索返信信号中のＩＤカードＩＤは、他の照明器具にも通知されるようになっており、この通知されたＩＤカードＩＤが自機のルート登録テーブルに記憶されている場合にも、前記処理部２２は前記照明手段３を点灯および調光制御する。こうして、システム上の何れかの照明器具でＩＤカードＩＤが得られると、他の照明器具も連携して制御するので、自律分散型のシステムであっても、ＩＤカード２を保持する利用者に対して、利用ルート周辺の照度を確保しつつ、余分な部分の調光は行わないようにし、利便性と省エネとの両立を簡易に実現することができる。
【００７８】
なお、前記点灯および／または調光制御とは、点灯／消灯のみの制御だけでもよく、さらに距離などを認識して輝度を制御（調光）することまで行ってもよく、または常時点灯状態で、利用者が存在する場合には輝度をアップする等の調光制御のみを行ってもよいことを示す。
【００７９】
さらにまた、本発明の照明制御システムでは、ＩＤカード２に操作部１３を設け、この操作部１３の操作で照明器具Ｌ側を登録モードに切換え、該ＩＤカード２を保持した利用者が通常時と同様に前記利用ルートを通行するだけで、電波受信部２５で受信されたＩＤカードＩＤをルート登録テーブルに記憶してゆくので、設定用の専用のツールを用いたり、照明器具Ｌを操作したりすることなく、前記ルート登録テーブルへの登録、すなわちティーチングを、簡単に行うことができる。
【００８０】
また、本発明の照明制御システムでは、前記通信部２７は、隣接する照明器具の器具間通信手段との間で通信を行い、調光制御信号として前記ＩＤカードＩＤをパイプライン式に伝送してゆくので、各照明器具Ｌ間のトラヒックが減少して信号の衝突が起る可能性が減少し、通信プロトコルを細かに規定する等の前記衝突を防止するための対策を簡略化することができる。勿論、器具台数が少ないなどの理由で、トラヒックに問題がなければ、調光制御信号を出力する照明器具は、直接目的とする照明器具を制御するようにしてもよい。
【００８１】
さらにまた、本発明の照明制御システムでは、前記ルート登録テーブルへの登録にあたって、自機が被制御対象となるべきＩＤカードＩＤと共に、自機に隣接する照明器具の内、同一のＩＤカード２で制御されるべき照明器具のＩＤも隣接器具ＩＤ１，ＩＤ２として記憶しており、前記ＩＤカードＩＤを受信すると、前記照明手段３を点灯するとともに、通信部２７を通じて、そのＩＤカードで制御されるべき隣接する照明器具へ、受信されたＩＤカードＩＤおよび調光制御するための調光指示信号を与えるので、受信されたＩＤカードＩＤを他の照明器具に伝送するにあたって、データの伝送を必要な経路だけに留め、トラヒックを軽減することができるとともに、ルート上にある次の照明器具に対して点灯および調光指示を行うことで、該次の照明器具側で制御を行うべきか否かの判定を行うことなく、直ちに点灯させることができる。
【００８２】
［実施の形態２］
図１４は、本発明の実施の他の形態に係る照明制御システムにおける照明器具の照明制御装置４ａの電気的構成を示すブロック図である。この照明制御装置４ａは、前述の図５で示す照明制御装置４に類似しており、対応する部分には同一の参照符号を付して示し、その説明を省略する。
【００８３】
注目すべきは、本実施の形態では、照明制御装置４ａには、移報出力部３０がさらに設けられていることである。一方、記憶部２１ａには、自機が前記ルート調光を開始／終了すべき位置に配置されているか否かを示すフラグなどの特定の器具ＩＤを付与しておくようになっている。そして、自機で前記人感センサ２８や電波受信部２５による探索返信信号の受信によって利用者を認識したとき、固定されたそのルート調光の開始／終了位置に設けられた照明器具（前述の図６で示すシステムではＬ１）以外の照明器具（図６の示すシステムではＬ２〜Ｌ１１）では、前記開始／終了位置の照明器具から調光制御信号が受信されていないと、制御部２２ａは、たとえば窓からの侵入などの不正な利用と判断して、調光を行わず、また前記移報出力部３０を通じて、その旨を外部へ報知する。前記移報出力とは、具体的には、たとえばブザー等の警報機や、管理者が保持する携帯電話の端末機などへ情報を送信する手段で実現することができる。
【００８４】
これによって、正常でない利用を検知することができ、それを外部へ報知することで、当該照明制御システムを防犯用途などにも使用することができる。
【００８５】
ここで、特開２００２−２８９３６９号公報には、コントローラからの特定小電力無線によって制御信号を親器具で受信し、さらに微弱無線で子器具へ転送することで、簡単な設置工事で、複数の照明器具を連動して制御できるようにした照明装置が提案されている。したがって、器具間の通信は開示されているけれども、本発明のように調光制御信号を伝送してゆくことでルート調光を実現するという格別の作用効果は到底期待できないものである。
【００８６】
また、前記特開平７−１２２３６８号公報には、照明器具側の総ての受信機が応答すべきコードをリモコンから送信すると、照明器具は探索信号を送信し、リモコンがそれに応答することで、行方が分からなくなったリモコンの所在を知らせることも開示されている。
【００８７】
したがって、探索信号は開示されているけれども、本発明のようにそれに応答した探索返信信号を利用して、利用者の真上付近の照明器具を中心とした段階的な調光を実施するという格別な作用効果も到底期待できないものである。
【図面の簡単な説明】
【００８８】
【図１】本発明の実施の一形態に係る照明制御システムの電気的構成を示すブロック図である。
【図２】本発明の実施の一形態のＩＤカードの外観形状を示す斜視図である。
【図３】図２で示すＩＤカードの電気的構成を示すブロック図である。
【図４】本発明の実施の一形態の照明器具の外観形状を示す斜視図である。
【図５】図４で示す照明器具における照明制御装置の電気的構成を示すブロック図である。
【図６】本発明によるルート調光を説明するための照明器具の配列の一例を示す図である。
【図７】本発明の実施の一形態による照明器具の全体の制御動作を示すフローチャートである。
【図８】図７の処理における通常モードでのＩＤカードの探索処理を詳しく示すフローチャートである。
【図９】図７の処理における通常モードでの通信内容対応処理を詳しく説明するためのフローチャートである。
【図１０】図７の処理における登録モードでのＩＤカードの探索処理を詳しく示すフローチャートである。
【図１１】図７の処理における登録モードでの通信内容対応処理を詳しく説明するためのフローチャートである。
【図１２】図７の処理における登録モード移行処理を詳しく説明するためのフローチャートである。
【図１３】図７の処理における通常モード移行処理を詳しく説明するためのフローチャートである。
【図１４】本発明の実施の他の形態における照明制御装置の電気的構成を示すブロック図である。
【符号の説明】
【００８９】
１    通信路
２    ＩＤカード（識別装置）
３    照明手段
４，４ａ，４ｂ    照明制御装置（照明制御手段）
１１    記憶部（ＩＤ記憶手段）
１２    処理部
１３    操作部
１４    送信部（第１の送信手段）
１５    電波受信部（第１の受信手段）
２１，２１ａ    記憶部（記憶手段）
２２，２２ａ    処理部（登録手段）
２３    照明制御部
２４    送信部（利用者通信手段、第２の送信手段）
２５    電波受信部（利用者通信手段、第２の受信手段）
２６    動作状態表示部
２７    通信部（器具間通信手段）
２８    人感センサ
２９    ゲイン調整部
３０    移報出力部
４６    オフィス
Ｌ；Ｌ１〜Ｌ９    照明器具
Ｕ１    利用者
【図１】
2005259431.tif 000005
【図２】
2005259431.tif 000006
【図３】
2005259431.tif 000007
【図４】
2005259431.tif 000008
【図５】
2005259431.tif 000009
【図６】
2005259431.tif 000010
【図７】
2005259431.tif 000011
【図８】
2005259431.tif 000012
【図９】
2005259431.tif 000013
【図１０】
2005259431.tif 000014
【図１１】
2005259431.tif 000015
【図１２】
2005259431.tif 000016
【図１３】
2005259431.tif 000017
【図１４】
2005259431.tif 000018